(57)【要約】【課題】  汎用的に利用できる電力需給用計器用変成器の取付け、取替えを容易にする取付台を標準化し備えることで、電力需給用計器用変成器の取替え作業を安全かつ確実に行うことを可能とするキュービクルを提供すること。【解決手段】  取付台（１）と一体化または分離した取付台（１a）をキュービクルの外部に引き出すか、または延長用の金具を用いて外部まで延伸し、スライドレール状の装置（２）及び支持金具（２ａ）によって担持する電力需給用計器用変成器（１０）をキュービクル函体（２０）から水平に移動させ、吊架台部材（５）及びチェーンブロック（５ｂ）を利用して作業床面（３０）に昇降させることが可能な装置を備えたキュービクルを提供することで、電力需給用計器用変成器（１０）の取付けまたは取替えを安全にまた容易に可能とする。【選択図】図２
2010130858.tif 000002
【特許請求の範囲】
【請求項１】
キュービクル式高圧受電設備に取り付けられる電力需給用計器用変成器において、取付台をキュービクル函体の外部に延伸することができる取付台または取付装置を備えたキュービクル。
【請求項２】
スライドレール状の支持材またはコロ状の支持材の移動によって、キュービクルの外部に電力需給用計器用変成器を水平に移動させることができる引き出し装置と一体化、もしくは引き出し装置を分離設置した請求項１に記載の電力需給用計器用変成器の取付台または取付装置を備えたキュービクル。
【請求項３】
引き出し装置と一体化もしくは脱着可能とし、垂直に電力需給用計器用変成器を移動可能とする装置を備えた請求項１に記載の電力需給用計器用変成器の取付台または取付装置を備えたキュービクル。
【請求項４】
使用時以外はキュービクル内に収納し、電力需給用計器用変成器の取り付けまたは取替え時に取付台と一体化または分割した装置を引き出して利用する請求項１に記載の電力需給用計器用変成器の取付台または取付装置を備えたキュービクル。
【発明の詳細な説明】
【技術分野】
【０００１】
本発明は、日本配電盤工業規格ＪＳＩＡ２００にて規定されたキュービクル式高圧受電設備（以下キュービクルと呼ぶ）において、電力需給のための取引に利用される電力需給用計器用変成器を安全に取付けまたは取替えるための取付台または取付装置を備えたキュービクルに関する発明である。
【背景技術】
【０００２】
電力需給用計器用変成器（ＶＣＴとも呼ぶ）をキュービクル内に収納する場合、機器の下部高さを１０００ｍｍ以上維持するよう全国の電力会社から要求されており、電力需給用計器用変成器を持ち上げて支持する必要がある。
【０００３】
キュービクルは、建物スペースの有効活用のため屋上階に設置されることが多く、屋上階に基礎を設けてその上に据え付けられる。基礎は防水処理のため床面から５００ｍｍ程度その上面が高く、電力需給用計器用変成器は床面から概略斜め方向に持ち上げながらキュービクル内の吊支持位置まで移動させ、取付けを行うという作業が要求される。
【０００４】
また、キュービクルのコンパクト化の要求も強く、電力需給用計器用変成器の下部に変圧器や高圧用コンデンサが設置されることもあり限られた空間の中で作業を行わねばならない。
【０００５】
電力需給用計器用変成器は６０ｋｇ〜１００ｋｇと比較的重量があるがキュービクルの函体の中に機器を搬入する作業には重機類は利用できないため、作業員複数名により人力や吊り上げ用のロープおよびチェーンブロック等を利用してキュービクル内の所定の位置に取り付けるための作業を行っている。  
【０００６】
このため、作業スペースが限定されたり、安全が確保しにくい等の問題点がある。
【発明の開示】
【発明が解決しようとする課題】
【０００７】
従来技術として、計器用変成器簡易取替装置があるが、これは電力需給用計器用変成器の取付けまたは取替え作業時に装置を持参しキュービクルに取付けて電力需給用計器用変成器の取替作業を容易にする装置に関するものである。
【特許文献１】特開2002−171620
【０００８】
上記特許文献１では、平行な一対のガイド部材、複数の吊支持ユニット、鈎枠部材および少なくとも２個の可動ユニットからなり、組立を容易にできるように考えられているが、キュービクルを製作する各メーカにより電力需給用計器用変成器の取付台には差異があるため、取付台に応じた取替装置を用意し持ち運ぶ必要がある。
【０００９】
本発明は汎用的に利用できる電力需給用計器用変成器の取付け、取替えを容易にする取付台を標準化することにより、各種取替装置を用意することなく機器の取替えが可能なキュービクルを提供することにあり、重量物である電力需給用計器用変成器の取替え作業を安全かつ確実に行うことができる。
【課題を解決するための手段】
【００１０】
請求項１に記載の発明によれば、電力需給用計器用変成器を担持する取付台をキュービクル函体の外部に延伸することができるため、キュービクル内の電力需給用計器用変成器の取付け・取替え作業の殆どをキュービクル外で行うことが可能となる。
【００１１】
請求項２に記載の発明によれば、電力需給用計器用変成器をスライドレール状の支持材またはコロ状の支持材の移動によってキュービクルの外部に引き出すことができる引き出し装置と一体化、若しくは引き出し装置を分離設置した取付台または取付装置をキュービクルに備えることにより、電力需給用計器用変成器の取付けまたは取替えが容易に可能となる。
【００１２】
請求項３に記載の発明によれば、垂直に電力需給用計器用変成器の移動を可能とする装置を備えることにより、人力による機器の持ち上げ等の作業が不要となり安全に作業を行うことができる。
【００１３】
請求項４に記載の発明によれば、使用しないときは受電設備であるキュービクルの機能に影響を与えることなく、また電力需給用計器用変成器の取付け、取替え時には引き出して使用することができる。
【発明の効果】
【００１４】
本発明に係る取付台または取付装置を備えたキュービクルは、電力需給用計器用変成器の取替え作業を少なくとも作業員２名で行うことができるため大きな省力化とコスト低減が図れるとともに、重量物の搬入に伴う上下作業を作業空間に難点のあるキュービクル内で行わずにキュービクルの外部で行うことにより作業性の向上と安全確保に貢献することができる。
【発明を実施するための最良の形態】
【００１５】
本発明を実施するための最良の形態を図を用いて詳細に説明する。
【実施例】
【００１６】
〔第１の実施の形態〕
図1はこの発明の実施の一形態である電力需給用計器用変成器の取付け状況を示す構成図である。図２は電力需給用計器用変成器の取替え時の中間実施状況を示す構成図である。図３は電力需給用計器用変成器の取替え時の最終実施状況を示す構成図である。図４は電力需給用計器用変成器の取付台または取付装置の概略断面図の一例である。図５は現況の電力需給用計器用変成器の取付け状況を示す概略側面図である。
【００１７】
本発明の実施形態の電力需給用計器用変成器の取替え例を以下に説明すると、図５において現況の電力需給用計器用変成器の支持方法は支持金物（６）として例えば１００ｍｍ×１００ｍｍまたは１００ｍｍ×５０ｍｍなどの鋼材が利用され、これに変成器付属の取付けボルト（１１）により電力需給用計器用変成器（１０）の支持が行われている。
【００１８】
本発明の取付け状況を図１に示すと、支持金物（６）に替わる取付台（１）は紙面の垂直方向に取り付けた取付台支持鋼材（３）によって担持されている。また、取付台（１）の内部または外部に電力需給用計器用変成器を移動させるためのスライドレール状の装置（２）を備える。
【００１９】
スライドレール状の装置（２）には電力需給用計器用変成器（１０）を担持する支持金具（２ａ）が取り付けられており、これに付属支持ボルト（１１）によって電力需給用計器用変成器（１０）は吊り下げ支持される。
【００２０】
スライドレール状の装置（２）は取付台（１）と一体化または分離設置されており、通常時はキュービクル（２０）内に収納された状態でキュービクルの機能としての受電設備になんら影響を及ぼさない。
【００２１】
スライドレール状の装置（２）にはコロ式の引き出し装置も考えられる。
【００２２】
図２に電力需給用計器用変成器の取替え時の動作手順を示す。電力需給用計器用変成器の取替え時にはキュービクルの扉（２０a）を開放し、取付台（１）と一体化または分離した取付台（１a）をキュービクルの外部に引き出すか、または延長用の金具を用いて取付台を外部まで延伸できる。
【００２３】
取付台（１a）に替えてスライドレール状の装置（２）自体を延伸する方法も考えられる。
【００２４】
地震時等の電力需給用計器用変成器の水平移動を防止するためにスライドレール状の装置（２）の前後に取付けられた固定用金具（４）を取り外す。
【００２５】
スライドレール状の装置（２）には電力需給用計器用変成器（１０）の水平移動を容易にするための回転部を配設しており、取付台（１）から延伸した取付台（１ａ）に沿って水平移動を行う。
【００２６】
取付台（１ａ）の先端部には、電力需給用計器用変成器の垂直移動を行うための吊架台部材（５）を取付ける。吊架台部材（５）はチェーンブロックのチェーンが通過する開口部を設けた取付台（１ａ）の専用取付部に鞍馬するように設置する。
【００２７】
電力需給用計器用変成器の垂直移動法を図３に示す。吊架台部材（５）にはチェーンブロック（５ｂ）を取付ける金物（５ａ）があり、これにチェ−ンブロック（５ｂ）を吊下げる。
【００２８】
水平移動した電力需給用計器用変成器（１０）は吊架台部材（５）の略中央部で、電力需給用計器用変成器（１０）をワイヤー等でチェーンブロック（５ｂ）へ支持した後、一旦チェーンブロックで上昇させ、吊下げ金具（２ａ）に支持された電力需給用計器用変成器の取付ボルト（１１）を緩めて取り外す。
【００２９】
電力需給用計器用変成器（１０）の荷重を吊下げ金具（２ａ）からチェーンブロック（５ｂ）に担持させた後に、チェーンブロック（５ｂ）を利用して垂直に降下させ、床面に着地させる。
【００３０】
〔第２の実施の形態〕
新たに電力需給用計器用変成器を設置する時や、取替え用の電力需給用計器用変成器を入れ替える時の実施例については、上記と逆の手順を行うことにより、電力需給用計器用変成器を所定の位置に支持する事ができる。
【図面の簡単な説明】
【００３１】
【図１】本発明の実施例を示す、キュービクル式高圧受電設備内に電力需給用計器用変成器を取付けた状態の概略側面図である。
【図２】本発明の実施例を示す、取付台を延伸した状態の概略側面図である。
【図３】本発明の実施例を示す、電力需給用計器用変成器を搬出する最終形態の概略側面図である。
【図４】本発明の実施例の一例を示す取付台（１）の内部にスライドレール状の装置（２）および吊下げ金具（２ａ）を取付けた場合の概略断面図である。
【図５】現状の電力需給用計器用変成器の吊支持状態を示す概略断面図である。
【符号の説明】
【００３２】
１    電力需給用計器用変成器取付台
１ａ  延伸用取付台
２    スライドレール状の装置
２ａ  電力需給用計器用変成器吊下げ金具
２ｂ  移動用ベアリング
３    取付台支持金物
４    吊下げ金具固定用金具
５    吊架台部材
５ａ  チェーンブロック取付け金物
５ｂ  チェーンブロック
６    支持金物
１０    電力需給用計器用変成器
１１    付属取付けボルト
２０    キュービクル函体
２０ａ  キュービクル扉
３０    作業床面
３１    キュービクル基礎
【図１】
2010130858.tif 000003
【図２】
2010130858.tif 000004
【図３】
2010130858.tif 000005
【図４】
2010130858.tif 000006
【図５】
2010130858.tif 000007